(57)【要約】  【課題】ＦＬ管及びＴ５管のいずれの蛍光灯にも対応することができ、商品陳列棚を共通化することができるショーケースを提供する。  【解決手段】ショーケースに装着される商品陳列棚の下面にランプソケットを固定するためのソケット取付部を設けるとともに、該ソケット取付部を蛍光灯の規格に応じて形成された異なる形状のランプソケットを選択して取付可能に形成する。ソケット取付部とランプソケットとは、蛍光灯長手方向にスライドさせて嵌合させるとともに、ソケット取付部に対するランプソケットの位置決めを行う凹凸係合部を設ける。【選択図】図１
2008188134.tif 000002
【特許請求の範囲】
【請求項１】
商品陳列部に商品陳列棚を備えるとともに、該商品陳列棚の下面に庫内照明用の蛍光灯を装着するためのランプソケットを備えたショーケースにおいて、前記商品陳列棚の下面に前記ランプソケットを固定するためのソケット取付部を設けるとともに、該ソケット取付部を蛍光灯の規格に応じて形成された異なる形状のランプソケットを選択して取付可能に形成したことを特徴とするショーケース。
【請求項２】
前記ソケット取付部と前記ランプソケットのいずれか一方に蛍光灯長手方向の嵌合溝を対向して設けるとともに、いずれか他方の両側に、前記嵌合溝にスライドして嵌合する嵌合突片を設けたことを特徴とする請求項１記載のショーケース。
【請求項３】
前記嵌合溝と嵌合突片とに、前記ソケット取付部に対する前記ランプソケットの位置決めを行う凹凸係合部を設けたことを特徴とする請求項２記載のショーケース。
【請求項４】
前記ソケット取付部は、前記商品陳列棚の下面に固着されて商品陳列棚の照明装着部を補強する補強板部を有していることを特徴とする請求項１乃至３いずれか１項記載のショーケース。
【請求項５】
前記補強板部は、補強溝を有していることを特徴とする請求項４記載のショーケース。
【請求項６】
前記ランプソケットは、該ランプソケットから棚板下面に沿って配線を引き出すための配線引出部を有していることを特徴とする請求項１乃至５いずれか１項記載のショーケース。
【請求項７】
前記ランプソケットは、前記ソケット取付部に固定されるソケットベースと、前記蛍光灯の端部に取り付けられるランプホルダーとで形成され、該ランプホルダーは、前記ソケットベースに対して着脱可能に形成されていることを特徴とする請求項１乃至６いずれか１項記載のショーケース。
【発明の詳細な説明】
【技術分野】
【０００１】
本発明は、ショーケースに関し、特に、ショーケースの庫内を照明するための蛍光灯を商品陳列棚の下面に装着したショーケースに関する。
【背景技術】
【０００２】
スーパーマーケットやコンビニエンスストア等の食品売場に設置されている各種ショーケースでは、庫内に陳列した商品を照明するための照明器具として、一般に蛍光灯を商品陳列棚の下面に設けている（例えば、特許文献１参照。）。従来のショーケースにおける商品陳列棚下面への蛍光灯の取り付けは、蛍光灯を保護する保護筒（ランプシリンダー）内に挿入し、蛍光灯の両端に設けられている電極部をランプソケットの電極部に接続するとともに、ランプシリンダーの両端をランプソケットに嵌合させた後、ランプシリンダーの胴部を商品陳列棚下面に取り付けられたランプホルダーに嵌め込むようにしていた。
【特許文献１】特開２００２−１０８８８号公報
【発明の開示】
【発明が解決しようとする課題】
【０００３】
ショーケースの照明に用いる蛍光灯としては、従来から汎用のＦＬ管が広く用いられてきているが、近年は、低温での安定性と省エネルギーとの観点からＴ５管を使用するショーケースが増加している。しかし、ＦＬ管とＴ５管とでは、電極部が異なっているだけでなく、管の長さや太さも異なっているため、一方の蛍光灯用に設計した商品陳列棚に他方の蛍光灯を取り付けることはできず、各蛍光灯の形状に対応したランプソケットやランプホルダーを装着した専用の商品陳列棚を用意する必要があった。
【０００４】
そこで本発明は、ＦＬ管及びＴ５管のいずれの蛍光灯にも対応することができ、商品陳列棚を共通化することができるショーケースを提供することを目的とする。
【課題を解決するための手段】
【０００５】
上記の課題を解決するため本発明は、商品陳列部に商品陳列棚を備えるとともに、該商品陳列棚の下面に庫内照明用の蛍光灯を装着するためのランプソケットを備えたショーケースにおいて、前記商品陳列棚の下面に前記ランプソケットを固定するためのソケット取付部を設けるとともに、該ソケット取付部を蛍光灯の規格に応じて形成された異なる形状のランプソケットを選択して取付可能に形成したことを特徴としている。
【０００６】
また、本発明のショーケースにおいては、前記ソケット取付部と前記ランプソケットのいずれか一方に蛍光灯長手方向の嵌合溝を対向して設けるとともに、いずれか他方の両側に、前記嵌合溝にスライドして嵌合する嵌合突片を設けることが好ましく、前記嵌合溝と嵌合突片とに、前記ソケット取付部に対する前記ランプソケットの位置決めを行う凹凸係合部を設けることが好ましい。
【０００７】
さらに、前記ソケット取付部は、前記商品陳列棚の下面に固着されて商品陳列棚の照明装着部を補強する補強板部を有しており、前記補強板部が補強溝を有していることが好ましく、前記ランプソケットは、該ランプソケットから棚板下面に沿って配線を引き出すための配線引出部を有していることが好ましい。また、前記ランプソケットは、前記ソケット取付部に固定されるソケットベースと、前記蛍光灯の端部に取り付けられるランプホルダーとで形成され、該ランプホルダーは、前記ソケットベースに対して着脱可能に形成されていることが好ましい。
【発明の効果】
【０００８】
本発明のショーケースによれば、商品陳列棚下面に設けられたソケット取付部に、使用する蛍光灯の規格に対応して形成したランプソケットを選択して取り付けることにより、ＦＬ管及びＴ５管のいずれの蛍光灯にも対応することができる。したがって、商品陳列棚を共通化することができるので、製造や在庫管理等に要するコストを大幅に削減することが可能となる。また、使用中のショーケースでの蛍光灯の規格変更も容易に行うことができる。
【発明を実施するための最良の形態】
【０００９】
以下、本発明の一実施の形態について、図面に基づき説明する。
図１は本発明のショーケースにおける商品陳列棚の底面図、図２はＦＬ管用ランプソケットを取り付けたＦＬ管の正面図、図３はＦＬ管を装着した商品陳列棚の要部の底面図、図４はＦＬ管を装着した商品陳列棚の要部の断面図、図５はＦＬ管用ランプソケットの断面図、図６はＦＬ管用ランプソケットの底面図、図７は蛍光灯取付側から見たＦＬ管用ソケットベースの正面図、図８はＦＬ管用ソケットベースの側面図、図９はＦＬ管用ソケットベースの平面図、図１０は蛍光灯取付側から見たＦＬ管用ランプホルダーの正面図、図１１はＦＬ管用ランプホルダーの底面図、図１２はＦＬ管用ランプホルダーの背面図である。
【００１０】
また、図１３はＴ５管用ランプソケットを取り付けたＴ５管の正面図、図１４はＴ５管を装着した商品陳列棚の要部の底面図、図１５はＴ５管を装着した商品陳列棚の要部の断面図、図１６はＴ５管用ランプソケットの断面図、図１７はＴ５管用ランプソケットの底面図、図１８は蛍光灯取付側から見たＴ５管用ソケットベースの正面図、図１９はＴ５管用ソケットベースの側面図、図２０はＴ５管用ソケットベースの平面図、図２１は蛍光灯取付側から見たＴ５管用ランプホルダーの正面図、図２２はＴ５管用ランプホルダーの底面図、図２３はＴ５管用ランプホルダーの背面図である。
【００１１】
まず、本発明のショーケースにおける商品陳列棚１１は、棚板１２の下面後端及び両端に、後フレーム１３と一対の側フレーム１４，１４とを配置するとともに、前端下面に蛍光灯収納部１５を画成する棚照明用フレーム１６を配置したものであって、蛍光灯収納部１５の両端部には、蛍光灯を装着するために用いられる一対のソケット取付部１７，１７が設けられている。
【００１２】
ソケット取付部１７は、図２に示すＦＬ管用ランプソケット２１を介してＦＬ管２２を取り付けたり、あるいは、図１３に示すＴ５管用ランプソケット３１を介してＴ５管３２を取り付けたりするもので、前記商品陳列棚１１の棚板１２の下面に固着される蛍光灯の軸線方向に長い長方形の補強板部１８と、該補強板部１８の長辺部をそれぞれ対向するように折り曲げてチャンネル状に形成した一対の嵌合溝１９とを有している。また、嵌合溝１９の長手方向中間部には係合用の切欠部１９ａが設けられており、嵌合溝１９の棚板端部側は、棚板側面板１２ａとの間に係合用の隙間１９ｂが設けられている。さらに、嵌合溝１９は、平板状の補強板部１８を更に補強する機能も有しており、このようにチャンネル状に形成したソケット取付部１７を棚板１２の前端部下面に固着することにより、商品陳列棚１１の前端部を補強することができ、従来のように蛍光灯又はランプシリンダーの胴部を嵌め込んで保持するホルダーを使用せずに蛍光灯を確実に保持することが可能となる。
【００１３】
商品陳列棚１１に装着される蛍光灯として、例えば、３尺棚と呼ばれる商品陳列棚１１に用いられる３２ＷのＦＬ管２２は、長さが８３０ｍｍ、外径が３２．５ｍｍであり、同じ商品陳列棚１１に用いられるＴ５管は、長さが８８５ｍｍ、外径が１５．５ｍｍとなっている。このため、ソケット取付部１７に取り付けるランプソケットは、前述のように、ＦＬ管用ランプソケット２１と、Ｔ５管用ランプソケット３１とが設定されている。
【００１４】
ＦＬ管用ランプソケット２１及びＴ５管用ランプソケット３１は、基本的に同じ構造に形成されており、前記ソケット取付部１７に固定されるＦＬ管用及びＴ５管用それぞれのソケットベース２３，３３と、前記ＦＬ管２２及びＴ５管３２の各両端部にそれぞれ取り付けられるＦＬ管用及びＴ５管用のランプホルダー２４，３４との組み合わせで形成され、各ランプホルダー２４，３４は、前記ソケットベース２３，３３に対して着脱可能に形成されている。
【００１５】
まず、ソケットベース２３，３３は、前記ソケット取付部１７の補強板部１８に平行な基板部２３ａ，３３ａと、該基板部２３ａ，３３ａの両側に設けられて前記嵌合溝１９に蛍光灯の軸線方向にスライドさせて嵌合させる一対の嵌合突片２３ｂ，３３ｂと、ランプホルダー２４，３４を着脱可能に取り付けるために基板部２３ａ，３３ａから下方に向かって突出した板状のホルダー嵌合部２３ｃ，３３ｃと、ホルダー嵌合部２３ｃ，３３ｃに下方に向かって開口し、奥部に電極接続部を有する一対の電極挿入溝２３ｄ，３３ｄと、ホルダー嵌合部２３ｃ，３３ｃの上端部（棚板裏面側）に設けられて前記電極挿入溝２３ｄ，３３ｄ内の電極接続部に電気的に接続したケーブル接続部２３ｅ、３３ｅと、前記基板部２３ａ，３３ａの棚板裏面側に設けられた空間からなる配線引出部２３ｆ、３３ｆとを有している。さらに、前記嵌合突片２３ｂ，３３ｂの両端部には、ソケット取付部１７に取り付けたときの位置決めを行うための凸状係合部２３ｇ、３３ｇが設けられ、ホルダー嵌合部２３ｃ，３３ｃの先端部蛍光灯側面には、ランプホルダー２４，３４を位置決めして固定するための係合突起２３ｈ、３３ｈが設けられている。
【００１６】
ＦＬ管用の一対の前記凸状係合部２３ｇは、ソケットベース２３をソケット取付部１７に取り付けたときに、外側（棚板端部側）の凸状係合部２３ｇが前記嵌合溝１９の中央部に設けた切欠部１９ａに係合し、内側の凸状係合部２３ｇが嵌合溝１９の内側端に係合することにより位置決めされ、棚板端部との間に所定の隙間が形成されて両ソケットベース２３間がＦＬ管２２に対応した距離となる。
【００１７】
一方、Ｔ５管用の一対の前記凸状係合部３３ｇは、ソケットベース３３をソケット取付部１７に取り付けたときに、外側（棚板端部側）の凸状係合部３３ｇが嵌合溝１９の外側端に設けられた前記隙間１９ｂの部分に係合し、内側の凸状係合部３３ｇが前記切欠部１９ａに係合することにより位置決めされ、棚板端部とほぼ当接した状態となって両ソケットベース３３間がＴ５管３２に対応した距離となる。
【００１８】
前記ランプホルダー２４，３４は、前記ＦＬ管２２及びＴ５管３２の各両端部が挿入される円形のランプ挿入筒２４ａ，３４ａと、該ランプ挿入筒２４ａ，３４ａの棚板端部側に設けられて前記ホルダー嵌合部２３ｃ，３３ｃに嵌合するスライド溝２４ｂ，３４ｂと、ランプ挿入筒２４ａ，３４ａの下端から外側に突出して先端面に前記係合突起２３ｈ、３３ｈに係合する係合凹部２４ｃ，３４ｃを設けた係合突片２４ｄ，３４ｄと、ランプ挿入筒２４ａ，３４ａの底板に設けられてＦＬ管２２及びＴ５管３２の各電極を挿通するための電極挿通孔２４ｅ，３４ｅとを有しており、ランプ挿入筒２４ａ，３４ａの底板は、ＦＬ管２２及びＴ５管３２の各電極が電極挿通孔２４ｅ，３４ｅを貫通して棚板端部方向に突出する厚さに形成されている。また、ＦＬ管用に比べて小さなＴ５管用のランプホルダー３４の側壁部には、滑り止め３４ｆを設けてランプホルダー３４を着脱するときの操作性を向上させている。
【００１９】
このように形成したショーケースにおいて、商品陳列棚１１にＦＬ管２２を装着する場合には、まず、ソケットベース２３のケーブル接続部２３ｅに電源ケーブルを接続した状態で、前記ソケット取付部１７に前記ソケットベース２３を棚板内方から外方に向かってスライドさせ、前記嵌合溝１９に嵌合突片２３ｂを挿入し、外側の凸状係合部２３ｇを前記嵌合溝１９の切欠部１９ａに係合させるとともに、内側の凸状係合部２３ｇを嵌合溝１９の内側端に係合させてソケットベース２３を所定位置に固定する。このとき、電源ケーブルは配線引出部２３ｆから内側方向に引き出された状態となる。
【００２０】
次に、ＦＬ管２２の両端部を前記ランプホルダー２４のランプ挿入筒２４ａに挿入するとともに、電極を電極挿通孔２４ｅに挿入し、電極をランプ挿入筒２４ａの底板から突出させた状態とする。この状態で棚板下方からランプホルダー２４をソケットベース２３に向けて持ち上げ、スライド溝２４ｂ内にホルダー嵌合部２３ｃを挿入しながら、ランプ挿入筒２４ａの底板から突出した電極を電極挿入溝２３ｄに挿入して電極と電極接続部とを係合させて通電状態とし、同時に、係合突起２３ｈと係合凹部２４ｃとが係合した状態とする。これにより、商品陳列棚１１の下面先端部の所定位置にＦＬ管２２が装着される。
【００２１】
一方、商品陳列棚１１にＴ５管３２を装着する場合には、ソケットベース３３のケーブル接続部３３ｅに電源ケーブルを接続した状態で、前記ソケット取付部１７に前記ソケットベース３３を棚板内方から外方に向かってスライドさせ、前記嵌合溝１９に嵌合突片３３ｂを挿入し、外側の凸状係合部３３ｇを嵌合溝１９の外側端に係合させるとともに、内側の凸状係合部３３ｇを嵌合溝１９の切欠部１９ａに係合させることにより、ソケットベース３３をＴ５管用に設定された所定位置に固定され、電源ケーブルは配線引出部３３ｆから内側方向に引き出された状態となる。
【００２２】
次に、Ｔ５管３２の両端部を前記ランプホルダー３４のランプ挿入筒３４ａに挿入するとともに電極を電極挿通孔３４ｅに挿入し、電極をランプ挿入筒３４ａの底板から突出させた状態とする。この状態で棚板下方からランプホルダー３４をソケットベース３３に向けて持ち上げ、スライド溝３４ｂ内にホルダー嵌合部３３ｃを挿入しながら、ランプ挿入筒３４ａの底板から突出した電極を電極挿入溝３３ｄに挿入して電極と電極接続部とを係合させて通電状態とし、同時に、係合突起３３ｈと係合凹部３４ｃとを係合させる。これにより、商品陳列棚１１の下面先端部の所定位置にＴ５管３２が装着される。
【００２３】
このようにしてＦＬ管２２又はＴ５管３２を装着することにより、装着状態では、ソケットベース２３，３３がソケット取付部１７の所定位置に固定された状態になっており、ランプホルダー２４，３４は、係合突起２３ｈ，３３ｈと係合凹部２４ｃ，３４ｃとの係合、及び、ランプ挿入筒２４ａ，３４ａの底板から突出した電極と電極挿入溝２３ｄ，３３ｄ内の電極接続部との係合によってソケットベース２３，３３に固定された状態になっているので、ランプホルダー２４，３４に保持されたＦＬ管２２やＴ５管３２が落下することはない。
【００２４】
また、ケーブル接続部２３ｅ，３３ｅに接続した電源ケーブルは、配線引出部２３ｆ，３３ｆを通ってソケットベース２３，３３の上部で棚板下面に沿って蛍光灯の軸線方向に引き出されるので、ＦＬ管用ランプソケット２１及びＴ５管用ランプソケット３１に左右の方向性が無くなり、共通部品とすることができるので、製造や管理のコストを低減できるとともに、商品陳列棚１１に装着するときの作業性も向上する。また、蛍光灯の交換は、ランプホルダー２４，３４を下方に引いてソケットベース２３，３３から取り外すことによって容易に行うことができる。
【００２５】
なお、本発明は、オープンショーケースをはじめとする各種のショーケースに適用することができる。また、商品陳列棚における商品載置部の形状やショーケース本体へ取り付け構造は任意に形成することができる。
【図面の簡単な説明】
【００２６】
【図１】本発明のショーケースにおける商品陳列棚の底面図である。
【図２】ＦＬ管用ランプソケットを取り付けたＦＬ管の正面図である。
【図３】ＦＬ管を装着した商品陳列棚の要部の底面図である。
【図４】ＦＬ管を装着した商品陳列棚の要部の断面図である。
【図５】ＦＬ管用ランプソケットの断面図である。
【図６】ＦＬ管用ランプソケットの底面図である。
【図７】蛍光灯取付側から見たＦＬ管用ソケットベースの正面図である。
【図８】ＦＬ管用ソケットベースの側面図である。
【図９】ＦＬ管用ソケットベースの平面図である。
【図１０】蛍光灯取付側から見たＦＬ管用ランプホルダーの正面図である。
【図１１】ＦＬ管用ランプホルダーの底面図である。
【図１２】ＦＬ管用ランプホルダーの背面図である。
【図１３】Ｔ５管用ランプソケットを取り付けたＴ５管の正面図である。
【図１４】Ｔ５管を装着した商品陳列棚の要部の底面図である。
【図１５】Ｔ５管を装着した商品陳列棚の要部の断面図である。
【図１６】Ｔ５管用ランプソケットの断面図である。
【図１７】Ｔ５管用ランプソケットの底面図である。
【図１８】蛍光灯取付側から見たＴ５管用ソケットベースの正面図である。
【図１９】Ｔ５管用ソケットベースの側面図である。
【図２０】Ｔ５管用ソケットベースの平面図である。
【図２１】蛍光灯取付側から見たＴ５管用ランプホルダーの正面図である。
【図２２】Ｔ５管用ランプホルダーの底面図である。
【図２３】Ｔ５管用ランプホルダーの背面図である。
【符号の説明】
【００２７】
１１  商品陳列棚
１２  棚板
１２ａ  棚板側面板
１３  後フレーム
１４  側フレーム
１５  蛍光灯収納部
１６  棚照明用フレーム
１７  ソケット取付部
１８  補強板部
１９  嵌合溝
１９ａ  切欠部
１９ｂ  隙間
２１  ＦＬ管用ランプソケット
２２  ＦＬ管
２３，３３  ソケットベース
２３ａ，３３ａ  基板部
２３ｂ，３３ｂ  嵌合突片
２３ｃ，３３ｃ  ホルダー嵌合部
２３ｄ，３３ｄ  電極挿入溝
２３ｅ、３３ｅ  ケーブル接続部
２３ｆ、３３ｆ  配線引出部
２３ｇ、３３ｇ  凸状係合部
２３ｈ、３３ｈ  係合突起
２４，３４  ランプホルダー
２４ａ，３４ａ  ランプ挿入筒
２４ｂ，３４ｂ  スライド溝
２４ｃ，３４ｃ  係合凹部
２４ｄ，３４ｄ  係合突片
２４ｅ，３４ｅ  電極挿通孔
３４ｆ  滑り止め
３１  Ｔ５管用ランプソケット
３２  Ｔ５管
【図１】
2008188134.tif 000003
【図２】
2008188134.tif 000004
【図３】
2008188134.tif 000005
【図４】
2008188134.tif 000006
【図５】
2008188134.tif 000007
【図６】
2008188134.tif 000008
【図７】
2008188134.tif 000009
【図８】
2008188134.tif 000010
【図９】
2008188134.tif 000011
【図１０】
2008188134.tif 000012
【図１１】
2008188134.tif 000013
【図１２】
2008188134.tif 000014
【図１３】
2008188134.tif 000015
【図１４】
2008188134.tif 000016
【図１５】
2008188134.tif 000017
【図１６】
2008188134.tif 000018
【図１７】
2008188134.tif 000019
【図１８】
2008188134.tif 000020
【図１９】
2008188134.tif 000021
【図２０】
2008188134.tif 000022
【図２１】
2008188134.tif 000023
【図２２】
2008188134.tif 000024
【図２３】
2008188134.tif 000025